(57)【特許請求の範囲】
【請求項１】
振動体に取り付けられたコイルが磁石によって形成される磁界内に配置され、コイルに通電があった際に振動体が磁界の作用によって振動されてこの振動体に対向するように配置された衝突部に衝突することにより振動を発生させる振動発生装置において、
前記コイルを収容するコイル収容部が振動体と一体的に成形され、このコイル収容部が磁石によって形成される磁界内に配置されるとともに、前記コイルがこのコイル収容部内に収容されることによって振動体に取り付けられ、
前記コイル収容部内に収容されたコイルが接着樹脂によって固定されると共に、
前記コイル収容部内の接着樹脂を覆うプレートが配備されることを特徴とする振動発生装置。
【請求項２】
前記衝突部の振動体と対向する部分に弾性体が取り付けられている請求項１に記載の振動発生装置。
【発明の詳細な説明】
【０００１】
【発明の属する技術分野】
この発明は、着信を振動で知らせるために携帯電話機等に装備される振動発生装置に関する。
【０００２】
【発明が解決しようとする課題】
携帯電話機等の通信機器には、電話の着信を振動によって知らせるいわゆるバイブレータ機能を備えているものがある。
【０００３】
図５および６は、このような携帯電話機等に装備されて着信を知らせるための振動を発生させる従来の振動発生装置に関する。
【０００４】
この従来の振動発生装置は、ムービングコイル型電気音響変換器の駆動原理を応用したもので、円盤状の振動体１が、その外周部に一体成形されたダンパ２によって支持枠３に支持されている。
【０００５】
そして、この振動体１とダンパ２の間の連続部分の背面に円筒状のボビン４が接着され、さらに、このボビン４の外周面にコイル５が巻回されている。
【０００６】
支持枠３には皿形状のヨーク６が、その外周部を支持枠３の背面側に固定された状態で取り付けられている。
【０００７】
そして、このヨーク６の底部内側に磁石７が取り付けられ、さらにこの磁石７のヨーク６への取り付け側と反対側端部にプレート８が取り付けられていて、この磁石７とプレート８がボビン４の内側中央部に位置されて、プレート８の外周面とボビン４が所要の隙間を空けた状態で対向されている。
【０００８】
ドーナツ形状の支持枠３の表側には、この支持枠３の内側中央に位置されるとともに振動体１の表側に所要の間隔を空けた状態で対向されるように、円環形状の衝突部３Ａが支持梁３Ｂによって支持された状態で一体的に成形されている。
【０００９】
そして、この支持枠３の内側端部は、振動体１とダンパ２の連続部分に対向されている。
【００１０】
この振動発生装置は、携帯電話等に装着されて、この携帯電話等への電話の着信によって発生する低周波の電流がコイル５に流れると、コイル５とプレート８間の磁界の作用によってボビン４が駆動されて振動体１が振動する。
【００１１】
そして、この振動体１の振動によってダンパ２との連続部分が衝突部３Ａの内側端部に衝突し、その振動を衝突部３Ａおよび支持枠３を介して携帯電話機等のケーシングに伝えてこのケーシングを震わせることにより、この携帯電話機等を所持しているユーザに電話の着信を知らせる。
【００１２】
この振動発生装置は、確実に振動エネルギを取り出すことが出来、これによって携帯電話機等において確実に電話の着信を知らせることが出来るとともに、薄型でかつ小型に構成する事が出来るので、この振動発生装置を装備した携帯電話機等の小型化に貢献することが出来るという利点を有している。
【００１３】
しかしながら、この振動発生装置は、上述したように、携帯電話機等において電話の着信を知らせるための振動が振動体１と衝突部３Ａとの衝突によって発生されるために、駆動部に強度を持たせる必要が有り、特に、ボビン４に巻回されたコイル５が振動体１と衝突部３Ａとの衝突による衝撃によってボビン４から離脱してしまう虞がある等の問題を有している。
【００１４】
この発明は、上記のような従来の振動発生装置が有している問題点を解決するために為されたものである。
すなわち、この発明は、駆動部における衝突によって振動を発生させる振動発生装置において、駆動部における強度を十分に確保することが出来るようにすることを目的としている。
【００１５】
【課題を解決するための手段】
本発明による振動発生装置は、上記目的を達成するために、振動体に取り付けられたコイルが磁石によって形成される磁界内に配置され、コイルに通電があった際に振動体が磁界の作用によって振動されてこの振動体に対向するように配置された衝突部に衝突することにより振動を発生させる振動発生装置において、前記コイルを収容するコイル収容部が振動体と一体的に成形され、このコイル収容部が磁石によって形成される磁界内に配置されるとともに、前記コイルがこのコイル収容部内に収容されることによって振動体に取り付けられ、前記コイル収容部内に収容されたコイルが接着樹脂によって固定されると共に、前記コイル収容部内の接着樹脂を覆うプレートが配備されることを特徴としている。
【００１６】
この発明による振動発生装置は、例えば携帯電話機に装着されて電話の着信を振動でユーザに知らせるバイブレータ機能を構成する場合等の用途に使用される。
【００１７】
すなわち、携帯電話機等に装着される場合には、コイルに電話の着信があると低周波の電流が流れるように接続される。
【００１８】
そして、振動体と一体的に成形されたコイル収容部内に収容されているコイルに電話の着信による低周波の電流が流れると、このコイルと磁石によって形成される磁界との作用によってコイルが振動方向に駆動され、これによって振動体が振動して、この振動体に対向するように配置された衝突部に衝突し、この振動体と衝突部との衝突によって発生する振動が携帯電話機等の本体に伝達される。
【００１９】
この振動体と衝突部とが衝突する際に、コイルが振動体と一体的に成形されたコイル収容部内に収容された状態で振動体に対して取り付けられているために、その衝撃によってコイルが振動体から離脱する虞はない
以上のように、上記第１の発明によれば、振動発生装置の駆動時の振動体と衝突部の衝突による衝撃がコイルに加わっても、振動体からコイルが脱落する虞はなく、十分な強度が確保される。
【００２０】
また、前記コイル収容部内に収容されたコイルが接着樹脂によって固定されていることを特徴としているので、コイルがコイル収容部内において接着樹脂によって固定されていることにより、振動体と衝突部の衝突による衝撃に対する強度がさらに強化される。
【００２１】
また、コイル収容部内の接着樹脂をプレート覆うことで、衝突による衝撃に対する強度をさらに強化することができる。
【００２２】
また、前述の構成に加えて、前記衝突部の振動体と対向する部分に弾性体が取り付けられていることを特徴としている。
【００２３】
これによれば、衝突部の振動体と対向する部分に弾性体が取り付けられて、この弾性体が振動体と衝突するようになっていることにより、衝突時に発生する衝撃音を小さくすることが出来るとともに、振動体に対する衝突時のショックを緩和することが出来る。
【００２４】
【発明の実施の形態】
以下、この発明の最も好適と思われる実施の形態について、図面を参照しながら詳細に説明を行う。
【００２５】
図１ないし３は、この発明の実施形態の一例における振動発生装置の要部を示す図である。
【００２６】
この図１ないし３において、ヨーク６，磁石７，プレート８の構成は、図５および６の従来の振動発生装置の構成とほぼ同様であり、同一の符号が付されている。
【００２７】
この図１ないし３において、円盤形状の振動体１０とこの振動体１０の外縁部を支持枠３に対して弾性的に支持するエッジダンパ１１とが、Ｕ字形状の断面を有し振動体１０の外縁部に沿って環状に形成された環状凹部１２を介して、一体的に形成されている。
【００２８】
これらの振動体１０およびエッジダンパ１１，環状凹部１２は、例えば、樹脂フィルムを加熱しながら加圧することによって一体成形される。
そして、この環状凹部１２内には、図３に特に拡大して示されるように、リング状に巻かれたコイル１３が嵌合された状態で収容されている。
【００２９】
そして、このコイル１３が環状凹部１２内の所定の位置に浮遊支持された状態で、環状凹部１２の振動体１０の表側（図３において上側）向きに開口する開口部から接着樹脂１４が流し込まれることによって、コイル１３が環状凹部１２内の所定位置に固定される。
【００３０】
この振動体１０は、エッジダンパ１１の外縁部が、ヨーク６および磁石７，８を支持しているリング状の支持枠２０の内縁部に連結されることによって支持される。
【００３１】
そしてこのとき、環状凹部１２が、磁石７上に取り付けられているプレート８の外周部とヨーク６の内周部との間に位置されて、プレート８およびヨーク６とそれぞれ所要のギャップを介して対向されている。
【００３２】
支持枠２０には、その内側において、環状凹部１２と対向する位置に配置されるリング状の衝突部２０Ａが、支持梁２０Ｂによって支持されることによって支持枠２０と一体的に成形されている。
【００３３】
そして、この衝突部２０Ａの内側端部（図１ないし３において下側の端部）の環状凹部１２に対向する位置に、ゴムなどによって成形された弾性体１５が取り付けられている。
【００３４】
上記振動発生装置は、例えば携帯電話機に装着されて電話の着信を振動でユーザに知らせるバイブレータ機能を構成する等の用途に使用される。
すなわち、この振動発生装置が携帯電話機に装着される場合には、コイル１３に電話の着信があると低周波の電流が流れるように接続される。
【００３５】
そして、このコイル１３に電話の着信による低周波の電流が流れると、コイル１３とプレート８との間の磁界の作用によって環状凹部１２が駆動されて、この環状凹部１２と一体的に成形された振動体１０が振動する。
【００３６】
そして、この振動体１０の振動によって環状凹部１２の開口部の周辺部が、これに対向している衝突部２０Ａの内側端部に取り付けられた弾性体１５に衝突し、この衝突によって生じる振動が支持枠２０を介して携帯電話機のケーシングに伝えられる。
【００３７】
これによって携帯電話機のケーシングが振動して、携帯電話機を洋服のポケット等に入れて所持しているユーザが、電話の着信を知ることが出来る。
【００３８】
上記振動発生装置は、コイル１３が振動体１０および環状凹部１２と一体的に成形された環状凹部１２内に装着されて接着樹脂１４により固定されているために、駆動時の振動体１０と衝突部２０Ａの衝突による衝撃がコイル１３に加わっても、振動体１０からコイル１３が脱落する虞がなく、十分な強度が確保される。
【００３９】
さらに、上記振動発生装置は、衝突部２０Ａの内側端部に弾性体１５が取り付けられて、この弾性体１５が振動体１０と衝突するようになっていることにより、衝突時に発生する衝撃音を小さくすることが出来るとともに、振動体１０に対する衝突時のショックを緩和することが出来る。
【００４０】
図４は、この発明による振動発生装置の実施形態における具体例を示すものであり、この例における振動発生装置は、環状凹部１２の開口端部にドーナツ状のプレート３０が取り付けられて、コイル１３を固定している接着樹脂１４の表面がカバーされているものである。
【００４１】
他の部分は、前述の説明のとおりであり、同一符号が付されている。
【００４２】
この具体例による振動発生装置は、振動によって振動体１０と衝突部２０Ａの弾性体１５とが衝突する際に、プレート３０によって、コイル１３を固定している接着樹脂１４の表面に弾性体１５が直接接触するのが回避されるので、この振動発生装置の駆動部の衝突による衝撃に対する強度がさらに増加される。
【図面の簡単な説明】
【図１】この発明の実施形態における一例を示す斜視図である。
【図２】同例の側断面図である。
【図３】同例の要部を示す部分拡大断面図である。
【図４】  この発明の実施形態における具体例を示す側断面図である。
【図５】従来例を示す斜視図である。
【図６】同従来例の側断面図である。
【符号の説明】
６    …ヨーク
７    …磁石
８    …プレート
１０  …振動体
１１  …エッジダンパ
１２  …環状凹部（コイル収容部）
１３  …コイル
１４  …接着樹脂
１５  …弾性体
２０  …支持枠
２０Ａ…衝突部
２０Ｂ…支持梁
【図１】
0003833429.tif 000002
【図２】
0003833429.tif 000003
【図３】
0003833429.tif 000004
【図４】
0003833429.tif 000005
【図５】
0003833429.tif 000006
【図６】
0003833429.tif 000007